【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
可視領域で透明な透明基材上に座標情報パターンが形成されたシートが、画面に配置されたディスプレイと、
前記座標情報パターンを部分的に読み取る座標入力用センサと、
前記座標入力用センサによって読み取られた、前記ディスプレイ画面における２箇所以上の隅の上に位置する前記シートの座標情報パターンから、前記シート上のシート座標を求める手段と、
前記シート座標に基づき、前記シート上のシート座標を前記ディスプレイ画面上のディスプレイ座標に変換するための演算式を求める手段と
を備えることを特徴とする座標入力用システム。
【請求項２】
可視領域で透明な透明基材上に座標情報パターンが形成されたシートが、画面に配置されたディスプレイと、
前記座標情報パターンを部分的に読み取る座標入力用センサと、
前記座標入力用センサによって読み取られた、前記ディスプレイ画面の辺の内側に位置する前記シートの座標情報パターンから、前記シート上のシート座標を求める手段と、
前記シート座標に基づき、前記シート上のシート座標を前記ディスプレイ画面上のディスプレイ座標に変換するための演算式を求める手段と
を備えることを特徴とする座標入力用システム。
【請求項３】
前記シートは、繰り返しパターンとして透明基材上に連続印刷されてなる座標入力用透明シートの連続印刷物から、任意の形状又は大きさのシートとして切り出された又は打ち抜かれたものであることを特徴とする請求項１又は２に記載の座標入力用システム。
【請求項４】
前記座標情報パターンは、波長選択反射性を有する赤外線反射材料を含むインキにより前記透明基材上に印刷されていることを特徴とする請求項１〜３のうちいずれか一項に記載の座標入力用システム。
【請求項５】
前記シートは、前記座標情報パターンが形成された透明基材上に、さらに樹脂によって透明なコート層が形成されていることを特徴とする請求項１〜４のうちいずれか一項に記載の座標入力用システム。
【請求項６】
可視領域で透明な透明基材上に座標情報パターンが形成されたシートを、ディスプレイの画面に配置する工程と、
前記ディスプレイ画面における２箇所以上の隅の上に位置する前記シートの座標情報パターンを、座標入力用センサによって読み取らせて、前記シート上におけるシート座標を求める工程と、
前記シート座標に基づき、前記シート上のシート座標を前記ディスプレイ画面上のディスプレイ座標に変換するための演算式を求める工程と
を有することを特徴とする座標入力較正方法。
【請求項７】
可視領域で透明な透明基材上に座標情報パターンが形成されたシートを、ディスプレイの画面に配置する工程と、
前記ディスプレイ画面の辺の内側に位置する前記シートの座標情報パターンを、座標入力用センサによって読み取らせて、前記シート上におけるシート座標を求める工程と、
前記シート座標に基づき、前記シート上のシート座標を前記ディスプレイ画面上のディスプレイ座標に変換するための演算式を求める工程と
を有することを特徴とする座標入力較正方法。
【請求項８】
前記シートを前記ディスプレイの画面に配置する工程の前に、前記シートを、繰り返しパターンとして透明基材上に連続印刷されてなる座標入力用透明シートの連続印刷物から、切り出し又は打ち抜いて形成する工程を有することを特徴とする請求項６又は７に記載の座標入力較正方法。
【請求項９】
前記シートを形成する工程においては、前記繰り返しパターンの一つからパターン境界部を含まないように、前記連続印刷物から前記シートを切り出し又は打ち抜いて形成することを特徴とする請求項８に記載の座標入力較正方法。
【手続補正２】
【補正対象書類名】明細書
【補正対象項目名】発明の名称
【補正方法】変更
【補正の内容】
【発明の名称】座標入力用システム及び座標入力較正方法
【手続補正３】
【補正対象書類名】明細書
【補正対象項目名】０００２
【補正方法】変更
【補正の内容】
【０００２】
近年、パーソナルコンピュータ（ＰＣ）への手書き入力システムの需要があり、そのような需要のため、透明な基材上に、赤外線を反射する材料を用いて座標情報を提供可能なパターンを印刷した、座標入力用赤外線反射パターン透明シートやシステムが提案されている。例えば、このシートをＰＣに接続されたディスプレイの前に配置して、赤外線を照射しその反射パターンを読み取るセンサを使い、パターン情報からセンサの位置を特定するシステムを用いれば、従来はタッチパネル等で行われていた手書き入力を簡便に行うことが可能になる（例えば、特許文献１〜２参照）。
ここで、通常は、各ディスプレイの大きさに合わせたパターンを印刷する必要がある。これは、ディスプレイ上の座標とシートが提供する座標を１対１対応にしないと、手書き入力が出来なくなるためであるが、例えば１５インチのモニタ向けのシートであれば１５インチのモニタの上下左右と対応が取れるパターンをシート上に印刷し、モニタサイズに合わせて切り出す又は打ち抜く必要がある（図１０参照）。また、シートの座標系とディスプレイの座標系を合わせる必要がある。
【特許文献１】特開２００３−２５６１３７号公報
【特許文献２】特開２００１−２４３００６号公報
【手続補正４】
【補正対象書類名】明細書
【補正対象項目名】０００３
【補正方法】変更
【補正の内容】
【０００３】
本発明は、前記の課題を解決するためになされたもので、シートの座標系とディスプレイの座標系を合わせることができる座標入力用システム及び座標入力較正方法を提供することを目的とする。
【手続補正５】
【補正対象書類名】明細書
【補正対象項目名】０００５
【補正方法】変更
【補正の内容】
【０００５】
すなわち、本発明は、
（１）可視領域で透明な透明基材上に座標情報パターンが形成されたシートが、画面に配置されたディスプレイと、前記座標情報パターンを部分的に読み取る座標入力用センサと、  前記座標入力用センサによって読み取られた、前記ディスプレイ画面における２箇所以上の隅の上に位置する前記シートの座標情報パターンから、前記シート上のシート座標を求める手段と、前記シート座標に基づき、前記シート上のシート座標を前記ディスプレイ画面上のディスプレイ座標に変換するための演算式を求める手段とを備えることを特徴とする座標入力用システム、
（２）可視領域で透明な透明基材上に座標情報パターンが形成されたシートが、画面に配置されたディスプレイと、前記座標情報パターンを部分的に読み取る座標入力用センサと、  前記座標入力用センサによって読み取られた、前記ディスプレイ画面の辺の内側に位置する前記シートの座標情報パターンから、前記シート上のシート座標を求める手段と、前記シート座標に基づき、前記シート上のシート座標を前記ディスプレイ画面上のディスプレイ座標に変換するための演算式を求める手段とを備えることを特徴とする座標入力用システム、
（３）前記シートは、繰り返しパターンとして透明基材上に連続印刷されてなる座標入力用透明シートの連続印刷物から、任意の形状又は大きさのシートとして切り出された又は打ち抜かれたものであることを特徴とする前記（１）又は（２）に記載の座標入力用システム、
（４）前記座標情報パターンは、波長選択反射性を有する赤外線反射材料を含むインキにより前記透明基材上に印刷されていることを特徴とする前記（１）〜（３）のうちいずれか一項に記載の座標入力用システム、
（５）前記シートは、前記座標情報パターンが形成された透明基材上に、さらに樹脂によって透明なコート層が形成されていることを特徴とする前記（１）〜（４）のうちいずれか一項に記載の座標入力用システム、
（６）可視領域で透明な透明基材上に座標情報パターンが形成されたシートを、ディスプレイの画面に配置する工程と、前記ディスプレイ画面における２箇所以上の隅の上に位置する前記シートの座標情報パターンを、座標入力用センサによって読み取らせて、前記シート上におけるシート座標を求める工程と、前記シート座標に基づき、前記シート上のシート座標を前記ディスプレイ画面上のディスプレイ座標に変換するための演算式を求める工程とを有することを特徴とする座標入力較正方法、
（７）可視領域で透明な透明基材上に座標情報パターンが形成されたシートを、ディスプレイの画面に配置する工程と、前記ディスプレイ画面の辺の内側に位置する前記シートの座標情報パターンを、座標入力用センサによって読み取らせて、前記シート上におけるシート座標を求める工程と、前記シート座標に基づき、前記シート上のシート座標を前記ディスプレイ画面上のディスプレイ座標に変換するための演算式を求める工程とを有することを特徴とする座標入力較正方法、
（８）前記シートを前記ディスプレイの画面に配置する工程の前に、前記シートを、繰り返しパターンとして透明基材上に連続印刷されてなる座標入力用透明シートの連続印刷物から、切り出し又は打ち抜いて形成する工程を有することを特徴とする前記（６）又は（７）に記載の座標入力較正方法、
（９）前記シートを形成する工程においては、前記繰り返しパターンの一つからパターン境界部を含まないように、前記連続印刷物から前記シートを切り出し又は打ち抜いて形成することを特徴とする前記（８）に記載の座標入力較正方法、
を提供するものである。
【手続補正６】
【補正対象書類名】明細書
【補正対象項目名】０００６
【補正方法】変更
【補正の内容】
【０００６】
本発明の座標入力システム及び座標入力補正方法によれば、座標入力用センサによって得られたシート上のシート座標を、ディスプレイ画面上のディスプレイ座標に変換でき、シートの座標系とディスプレイの座標系を合わせることができる。
【手続補正７】
【補正対象書類名】明細書
【補正対象項目名】０００７
【補正方法】変更
【補正の内容】
【０００７】
本発明に係る実施形態である座標入力用システムは、図１に示すように、可視領域で透明であり、所望の座標範囲における座標情報を提供可能な座標情報パターン３が透明基材２上に印刷されたシートをディスプレイの前に配置して、座標入力用のセンサと組み合わせて座標入力用透明シート４として用いる際に、シート４が提供する座標情報とディスプレイ上の座標情報を１対１で対応付ける補正を行う座標入力用システムである。
本実施形態の座標入力用システムによれば、座標入力用透明シートとしては、適用するディスプレイのサイズが異なる座標入力用透明シートであっても用いることができる他、ユーザーが、適当なサイズのものを購入した後、必要に応じて任意の適切なサイズに切り出した又は打ち抜いた座標入力用透明シートも用いることができる。
特に、図１に示すように、座標入力用透明シート４（破線部）が、可視領域で透明であり、所望の座標範囲における座標情報を提供可能な座標情報パターン３が、繰り返しパターンとして透明基材２上に連続印刷されてなる座標入力用透明シートの連続印刷物１から、任意の形状又は大きさのシートとして切り出された又は打ち抜かれたものを用いることができ、これにより、座標入力用透明シートを製造する際に大幅なコストダウンを図ることができる。
【手続補正８】
【補正対象書類名】明細書
【補正対象項目名】０００８
【補正方法】変更
【補正の内容】
【０００８】
本実施形態において、座標情報パターンの印刷方法としては、特に限定されず公知の方法を用いることができ、例えば、フレキソ印刷法、グラビア印刷法、オフセット印刷法、孔版印刷法、インキジェット印刷法等が挙げられ、繰り返しパターンを連続して高速印刷する場合はグラビア印刷法、フレキソ印刷法、オフセット印刷法等のロール状版を使う印刷法が好ましい。
また、任意の形状又は大きさのシートとして切り出す方法としては、特に限定されず公知の方法を用いることができ、例えばカッターやハサミ、ギロチン刃を使って切り出してもよく、その際に定規や型紙、金型を用いてもよく、また、決まった形状で繰り返し切り出す場合には、所定の形状に設計されたトムソン刃を用いて打ち抜いても良い。
【手続補正９】
【補正対象書類名】明細書
【補正対象項目名】０００９
【補正方法】変更
【補正の内容】
【０００９】
本実施形態において、連続印刷物から切り出す（又は打ち抜く）シートの形状は、通常はディスプレイの全面を覆うように矩形、あるいは４隅にＲ（曲率）のついた矩形で切り出すことが多いが、ディスプレイの全面をカバーできれば、形状に特に制限は無い。また、以下の補正方法で用いるアプリケーションによっては、ディスプレイ画面の特定領域のみを入力領域として使用する場合もあり、そういった用途で用いる場合は、ディスプレイの一部分のみを覆う大きさで切り出し、シートを設置しても良い。
切り出し形状は、矩形以外にも、ディスプレイに設置するための足がかりとなるタブや孔を持たせても良い。
また、シートの表裏や上下左右を間違えないように目印となるような形（例えば頂点の１つの角落とし）を含む形で切り出しても良い。
【手続補正１０】
【補正対象書類名】明細書
【補正対象項目名】００１０
【補正方法】変更
【補正の内容】
【００１０】
本実施形態において用いられる透明基板としては、可視光を透過する材料（波長３８０ｎｍ〜７８０ｎｍに於いて平均透過率が６０％以上、好ましくは８０％程度以上）であり、ドットパターンに比べて読み取りに使用される赤外線の反射率が十分低いものであれば特に限定されないが、光学的不具合の少ない材料で形成されたものが好ましい。所謂フィルム、シート、或いは板の形態の物が適宜用いられる。具体的には、透明基板の材料としては、ガラスやＴＡＣ（トリアセチルセルロース）、ＰＥＴ（ポリエチレンテレフタレート）、ポリカーボネート、ポリ塩化ビニル、アクリル、ポリオレフィン等が好適に用いられる。また、厚みは２０〜５０００μｍ程度の範囲から、材料、要求性能、及び使用形態に応じて適宜選定する。
【手続補正１１】
【補正対象書類名】明細書
【補正対象項目名】００１１
【補正方法】変更
【補正の内容】
【００１１】
また、本実施形態の連続印刷物及び座標入力用透明シートには、ペン型等の入力端末で手書入力する際に、繰り返し入力端末が接触しても耐えられる強度を与えるために、透明基板上にハードコート層（硬質塗膜からなる表面保護層）を設けても良い。ハードコート層の材質としては、特に限定されず、通常の透明シートやレンズの分野において用いられているものが使用できる。例えば、紫外線、電子線、熱等で架橋硬化したアクリル樹脂、珪素系樹脂等が代表的なものである。
さらに、座標入力用透明シートの背後にあるディスプレイ装置の視認性を確保するために、シート表面又は内部に反射防止膜等を設けても良い。反射防止膜の材質としては、特に限定されず、通常のディスプレイ用透明シートやレンズの分野において用いられているものが使用できる。例えば、弗化マグネシウム、弗素系樹脂等の低屈折率物質の薄膜と、酸化ジルコニウム、酸化チタニウム等の高屈折率物質の薄膜とを該低屈折率の薄膜が最表面になる様積層した誘電体多層膜等が代表的なものである。
【手続補正１２】
【補正対象書類名】明細書
【補正対象項目名】００１２
【補正方法】変更
【補正の内容】
【００１２】
本実施形態において用いられる座標情報を提供可能な座標情報パターンを構成するインキが、赤外線を選択的に反射する材料（以下、赤外線反射材料ということがある）を含むと好ましい。
この赤外線反射材料としては、可視領域で透明（波長３８０ｎｍ〜７８０ｎｍに於いて平均透過率が６０％以上、好ましくは８０％程度以上）であり、かつ赤外線反射性能を有するものであれば特に限定されないが、例えば、コレステリック構造を有する液晶材料、赤外線反射顔料が好ましい。
なお、本実施形態において、赤外線の波長は特に限定されないが、通常好ましく用いられるのは、特に８００〜２５００ｎｍの近赤外領域の光である。
【手続補正１３】
【補正対象書類名】明細書
【補正対象項目名】００１３
【補正方法】変更
【補正の内容】
【００１３】
本実施形態において、座標情報パターンの材料としてコレステリック構造を持った液晶材料を用いる場合に座標情報パターンの赤外線を反射する性質は、コレステリック構造の波長選択反射性（Ｘ線回折に於けるＢｒａｇｇ反射と同様な原理）を利用したものであり、その選択反射ピーク波長（Ｂｒａｇｇ反射条件を満たす波長）は、パターン内に含まれるコレステリック構造のピッチ長で決定されるが、液晶材料としてネマチック液晶とカイラル剤を用いる場合には、カイラル剤の添加量を調整することによりピッチ長を制御できる。液晶材料に高分子コレステリック液晶を用いる場合は、目的とするピッチ長を有するポリマー材料を選べば良い。
前記赤外線反射顔料とは、近赤外線領域で反射を示す（着色）顔料であり、ＪＩＳ Ａ５７５９で定義される建築用熱線遮蔽及びガラス飛散防止フィルムで規定されている分光反射率（Ｒλｉ）により算出される日射反射率で７８０〜２１００ｎｍの波長領域で積分反射率が５０％以上の近赤外線反射着色顔料であり、無機系赤外線反射顔料と有機系赤外線反射顔料に大別される。
前記赤外線反射顔料を用いたインキを印刷する際、透明基板の印刷面を易接着性向上処理すると、インキの印刷性もしくは接着性が向上することから好ましい。易接着性向上処理としては特に限定されず公知の方法によれば良く、例えば、ポリエチレンテレフタレ−トを主体とする樹脂からなるベースフィルムに対応して、易接着層としては、ポリエステル樹脂等が望ましい。
【手続補正１４】
【補正対象書類名】明細書
【補正対象項目名】００１４
【補正方法】変更
【補正の内容】
【００１４】
本実施形態の座標入力用透明シートにおいて、座標情報パターンは、センサを備えた入力端末にて読み取った部分的なパターンから、シート面上における入力端末の位置情報を導き出すことができるよう設定されたものである。
本実施形態における座標情報パターンは、特許文献１にも例示されており、例えばドットの形状を複数設定し、平面内に於いて、所定範囲内に配置されたこれら複数形状のドットの組み合わせをパターン化したもの、縦横に配置した罫線の太さを変えて、所定範囲内の前記罫線の重なり部分の大きさの組み合わせをパターン化したようなもの、ｘ、ｙ座標の値を直接ドットの縦横の大きさと結びつけたもの等が挙げられるが、特に簡素で好適なものとしては、縦横に等間隔に並ぶ基準点を設定して、この基準点に対して上下左右に変位したドットを配置し、これらドットの当該基準点からの相対的な位置関係を利用する方法が挙げられる。この方法はドットのサイズを小さく一定にできるため入力装置の高分解能化に有利である。
ドットパターンのドット形状は隣接するドットと容易に区別できれば特に制限はなく、通常は、平面視形状が、円、楕円、多角形などの形状が用いられる。またドットの立体形状についても特に制限はなく、通常は、ドットを印刷した基材を巻き取る際に、基材とドットの擦れによる損傷がおき難い点や、ペン型入力端末がこれと接触した際に、抵抗無く滑らかに摺動し、ドットと該端末とが相互に損傷し難い点から、略円盤状であることが好ましいが、半球状や凹面状、多角形状であっても良い。
【手続補正１５】
【補正対象書類名】明細書
【補正対象項目名】００１６
【補正方法】変更
【補正の内容】
【００１６】
以上のようにして得られた本実施形態の座標入力用透明シート（以下、透明シートということがある）は、例えば以下のように用いられる。透明シートは、画像表示可能なディスプレイ装置の表面又は前方に装着され、赤外線の照射及び検知が可能な入力端末（入力センサ）を用いて透明シートからの赤外線の反射パターンを読み取ることで、透明シート上における入力端末の位置に関する情報を提供する。
【手続補正１６】
【補正対象書類名】明細書
【補正対象項目名】００２１
【補正方法】変更
【補正の内容】
【００２１】
具体的な例として、以下のような補正を行う。
ここでは仮に、左下を原点とし、右方向にｘ軸、上方向にｙ軸が伸びる座標系を考えるが、座標の数値についてはあくまで一例であり、限定されない。
また、切り出したシート形状もディスプレイ形状も矩形とする。
(1)シート座標パターンの繰り返しが(a0,b0)-(a1,b1)の繰り返しで構成されており、繰り返し部分境界を含まない一部分を横w、縦hの範囲で切り出して使用する場合の補正（図３（ａ）〜（ｃ）参照）
シートの四隅のパターンが提供する座標情報を、ディスプレイ上の四隅の座標と対応させるような座標変換を行う。
例えば、図３（ｂ）においてシート座標(x,y)と読み取れる点Pを、図３（ｃ）におけるディスプレイ上の座標上の点P'に変換するには、
ｘ'＝（ｘ−ａ）／ｗ×１０２４ 及び ｙ'＝（ｙ−ｂ）／ｈ×７６８
とすれば良く、このa,b,h,wの値は図３（ｃ）の対角線上の頂点に対応する図３（ｂ）の点のシート座標、例えば左下と右上の座標を読み取れば計算で求めることができる。
なお、座標算出はこの例に限らず、各種公知の方法で可能である。
また、必ずしも頂点を読み取る必要は無く、計算に便利なように設定されたディスプレイ上の任意の点の座標を読み取るようにしても良い。例えば、ディスプレイの4辺より数ｃｍ程度内側に設定された矩形領域の頂点を読み取るようにする。そのような、座標補正のための頂点の読取り位置の例（＋印）を図４に示す。
【手続補正１７】
【補正対象書類名】明細書
【補正対象項目名】００２５
【補正方法】変更
【補正の内容】
【００２５】
(5)シートが３つ以上の領域にまたがる場合（図８参照）
本実施形態における連続印刷物は、場合によっては、基材幅に対し複数のパターンの繰り返しで印刷することもあり、それを切り出すような場合も、各パターン領域のシート座標の境界部の値が判っていれば、(4)で行った処理を拡張して補正することができる。
【手続補正１８】
【補正対象書類名】明細書
【補正対象項目名】００２７
【補正方法】変更
【補正の内容】
【００２７】
以上のことから、本実施形態により以下のような効果が得られる。
本実施形態によれば、座標提供シートを任意の位置で切り出しても良いため、ディスプレイサイズごとに印刷する版を変更する必要が無くなり、連続生産ができる。それにより、シート製造時の生産性が大きく向上する。
シートを切り出す際の厳密な位置合わせが不要となるため、切り出し位置合わせのための位置検出マークなども不要となる。特に、本実施形態のシートは可視光線に対し透明であるため、従来は、位置検出を行うために赤外線を検知するセンサを用いるか、あるいは可視のインキを用いて位置検出マークを印刷する必要があったが、これが省略できる。同時に、切り出し位置のずれに伴う不良品発生も軽減される。
【手続補正１９】
【補正対象書類名】明細書
【補正対象項目名】００２８
【補正方法】変更
【補正の内容】
【００２８】
以下、本発明を実施例によりさらに詳細に説明するが、本発明はその要旨を越えない限り、以下の実施例に限定されない。
実施例１
（１）グラビア版の作製
ドットの配列により座標情報を提供可能な、座標情報パターンの印刷用データを１７インチモニタサイズ（縦２７７ｍｍ×横３４４ｍｍ）で用意し、周長３４４ｍｍ（版径１０９．５ｍｍ）、幅３００ｍｍのグラビアロール表面に、パターンが横方向に連続印刷されるようなグラビア版を作成した。このときの座標情報パターンは、１７インチモニタの解像度に合わせた座標系とした。
（２）座標入力用透明シートの製造
インキとして赤外線のみを選択的に反射するように設定された、紫外線硬化型コレステリック液晶を含むインキを用い、透明基材として幅３００ｍｍのＴＡＣフィルムを用い、この基材上に該インキを連続印刷、乾燥、硬化させ、座標提供可能であって透明な、赤外線反射パターンを連続的に形成した。さらにこの上に紫外線硬化樹脂を塗布、乾燥、硬化させ、透明なハードコート層を形成した。
（３）座標入力用透明シートの切り出し
得られたシートのパターン部分の任意の位置から、カッターを用いて１５インチモニタサイズで数枚切り出した。切り出したシートには印刷時のパターン境界部が含まれないものと含まれるものがあった。
（４）ソフトウエアによる初期設定
座標の初期設定機能を有し、赤外線センサによる座標読取ソフトが動作しているコンピュータに接続された１５インチディスプレイの表面に、前述のシートを透明なテープで貼り付けた。座標較正用ソフトウエアを起動し、画面上に表示される複数の点をセンサで指し示すことで、そのディスプレイ座標に対応するシート座標を読み取り、座標補正条件を設定した。
（５）座標読取
ソフトウエアによる初期設定後は、座標読取センサの示す位置とディスプレイ上のカーソル位置の１対１対応が取れるようになった。また、シートを貼り替えた場合や、シートの位置を少しずらした場合には、その都度初期設定を行うことで、問題なく使用することができた。
【手続補正２０】
【補正対象書類名】明細書
【補正対象項目名】００３０
【補正方法】変更
【補正の内容】
【００３０】
以上詳細に説明したように、本発明の座標入力用システム及び座標入力補正方法によれば、座標入力用センサによって得られたシート上のシート座標を、ディスプレイ画面上のディスプレイ座標に変換でき、シートの座標系とディスプレイの座標系を合わせることができる。